(57)【特許請求の範囲】
【請求項１】
在圏するセルを変更してハンドオーバすることが可能な移動端末において、
当該移動端末が在圏する在圏セルの通信方式を特定する方式特定手段と、
前記移動端末がＷｉｆｉによるデータ通信中であるか否かを判別する方式判別手段と、
前記方式判別手段によりＷｉｆｉによるデータ通信中であると判別された場合に、前記方式特定手段により特定された前記通信方式が音声通信を対象とした第一通信方式であって且つ当該移動端末が当該第一通信方式を利用した音声通信に対応可能な端末種別又は通話品質であるか否かを判定する判定手段と、
前記判定手段により前記第一通信方式であって且つ前記端末種別又は通話品質であると判定された場合に、前記移動端末を前記第一通信方式に対応する第一待受モードに設定する制御を行う制御手段と、
を備え、前記制御手段は、前記判定手段により前記第一通信方式であって且つ前記端末種別又は通話品質であると判定されなかった場合に、前記移動端末を、前記第一通信方式とは異なる通信方式であって音声通信を対象とした第二通信方式に対応する第二待受モードに設定し、
少なくとも、前記第二通信方式により音声通信を行うことができるように構成されている、ことを特徴とする移動端末。
【請求項２】
当該移動端末が在圏する在圏セルに関するセル情報を取得する取得手段を更に備え、
前記方式特定手段は、前記取得手段により取得された前記セル情報に基づいて、前記移動端末が在圏する在圏セルの通信方式を特定する、請求項１に記載の移動端末。
【請求項３】
在圏するセルを変更してハンドオーバすることが可能な移動端末が行う通信方法において、
前記移動端末が在圏する在圏セルの通信方式を当該移動端末が特定する方式特定ステップと、
前記移動端末がＷｉｆｉによるデータ通信中であるか否かを判別する方式判別ステップと、
前記方式判別ステップにおいてＷｉｆｉによるデータ通信中であると判別された場合に、前記方式特定ステップにより特定された前記通信方式が音声通信を対象とした第一通信方式であって且つ当該移動端末が当該第一通信方式を利用した音声通信に対応可能な端末種別又は通話品質であるか否かを判定する判定ステップと、
前記判定ステップにより前記第一通信方式であって且つ前記端末種別又は通話品質であると判定された場合に、前記移動端末を前記第一通信方式に対応する第一待受モードに設定する制御を行う制御ステップと、
を有し、前記制御ステップでは、前記判定ステップにより前記第一通信方式であって且つ前記端末種別又は通話品質であると判定されなかった場合に、前記移動端末を、前記第一通信方式とは異なる通信方式であって音声通信を対象とした第二通信方式に対応する第二待受モードに設定し、
少なくとも、前記第二通信方式により、前記移動端末が音声通信を行うことができる、ことを特徴とする通信方法。
【発明の詳細な説明】
【技術分野】
【０００１】
本発明は、在圏するセルを変更してハンドオーバすることが可能な移動端末と、当該移動端末が行う通信方法とに関する。
【背景技術】
【０００２】
従来、通信方式の切り替えを行うことが可能な移動局が提案されている。例えば特許文献１には、第１通信方式及び第２通信方式の双方をサポート可能な移動局であって、ネットワークからの着信に応じて、第２通信方式をサポートしていない旨を基地局に通知する移動局が開示されている。
【０００３】
図１は、移動局の対応可能な通信方式の違いによる、待ち受け状態の違い（何れの通信方式が有効な待ち受けモードにしておくかの違い）を説明する待ち受け状態説明図である。例えば、移動局の通常の待ち受け状態を、第１通信方式としてのＬＴＥ（Long Term Evolution）が有効な待ち受け状態にしておくか、第２通信方式としての３Ｇ（第３世代移動通信システム）が有効な待ち受け状態にしておくかは、この移動局におけるWireless LAN接続（無線ＬＡＮ接続）の有無によらず、この移動局の機能や周囲環境によって予め決められている。
【０００４】
移動局の機能や周囲環境としては、例えば、ＬＴＥ非対応端末Ｌａ又はＬＴＥ対応端末Ｌｂであるか、ＬＴＥパケット通信専用端末Ｌｄ又はＬＴＥパケット専用以外端末Ｌｃであるか、現時点で利用可能なＬＴＥの通信品質が良い又は悪い等がある。図１に示されるように、ＬＴＥ対応端末Ｌｂは、３Ｇ／ＬＴＥエリアではＬＴＥ待ち受け状態であり、ＬＴＥパケット専用以外端末Ｌｃは、３Ｇ／ＬＴＥエリアでは３Ｇ待ち受け状態である。
【先行技術文献】
【特許文献】
【０００５】
【特許文献１】特開２０１１−４５０３３号公報
【発明の概要】
【発明が解決しようとする課題】
【０００６】
上述のように予め決められていた通常の待ち受け状態によっては、Wireless LAN接続中におけるＬＴＥ又は３Ｇを用いた音声発着信を行う際に、より適切な待ち受け状態への遷移が必要となって遷移遅延が発生して通信効率が悪くなってしまうおそれがある。
【０００７】
より詳しくは、図１に示されるように、ＬＴＥ対応端末Ｌｂが、３Ｇ／ＬＴＥエリアに存在してもＶｏｌｔｅ（Voice-over-LTE：ＬＴＥを用いた音声通話技術）非対応のＬＴＥエリアに存在している場合、音声発着信を行うには３Ｇへの遷移が必要となって遷移遅延Ｔａが発生して通信効率が悪くなってしまうおそれがある。
【０００８】
また、図１に示されるように、ＬＴＥパケット専用以外端末Ｌｃが、Ｖｏｌｔｅ対応端末であって３Ｇ／ＬＴＥエリアに存在している場合、ＬＴＥを用いた音声発着信を行うにはＬＴＥ（ＶｏＬＴＥ）への遷移が必要となって遷移遅延Ｔｂが発生して通信効率が悪くなってしまうおそれがある。
【０００９】
そこで本発明は、上述の問題点を解消する為になされたものであり、より効率的な通信が可能な移動端末及び通信方法を提供することを目的とする。
【課題を解決するための手段】
【００１０】
本発明の一形態に係る移動端末は、在圏するセルを変更してハンドオーバすることが可能な移動端末において、当該移動端末が在圏する在圏セルの通信方式を特定する方式特定手段と、移動端末がＷｉｆｉによるデータ通信中であるか否かを判別する方式判別手段と、方式判別手段によりＷｉｆｉによるデータ通信中であると判別された場合に、方式特定手段により特定された通信方式が音声通信を対象とした第一通信方式であって且つ当該移動端末が当該第一通信方式を利用した音声通信に対応可能な端末種別又は通話品質であるか否かを判定する判定手段と、判定手段により第一通信方式であって且つ端末種別又は通話品質であると判定された場合に、移動端末を第一通信方式に対応する第一待受モードに設定する制御を行う制御手段と、を備え、制御手段は、判定手段により第一通信方式であって且つ端末種別又は通話品質であると判定されなかった場合に、移動端末を、第一通信方式とは異なる通信方式であって音声通信を対象とした第二通信方式に対応する第二待受モードに設定し、少なくとも、第二通信方式により音声通信を行うことができるように構成されている、ことを特徴とする。
【００１１】
本発明の一形態に係る移動端末によれば、当該移動端末が在圏する在圏セルの通信方式を特定し、特定された通信方式が第一通信方式であって且つ当該移動端末が当該第一通信方式に対応可能な通信環境であるか否かを判定する。ここで、上述の通信環境であると判定された場合に、移動端末を第一通信方式に対応する第一待受モードに設定する一方、上述の通信環境であると判定されなかった場合に、移動端末を第二待受モードに設定する。
【００１２】
このように、特定された通信方式が第一通信方式であって且つこれに対応可能な通信環境でない場合に、第二待受モードに設定されるため、例えば３Ｇ／ＬＴＥエリアに存在しても例えばＶｏｌｔｅ等の第一通信方式に非対応のＬＴＥエリアに存在している場合、例えば３Ｇ等の第二通信方式に対応する第二待受モードに予め設定される。この結果、音声発着信を行う際に３Ｇへの対応が必要となっても既に第二待受モードに設定されているため遷移遅延は発生せず、より効率的な通信が可能になる。
【００１３】
更に、特定された通信方式が第一通信方式であって且つこれに対応可能な通信環境である場合に、第一通信方式に対応する第一待受モードに設定されるため、例えばＶｏｌｔｅ対応端末であって３Ｇ／ＬＴＥエリアに存在している場合、例えばＬＴＥ対応且つＶｏＬＴＥ対応の方式等の第一通信方式に対応する第一待受モードに予め設定される。この結果、音声発着信を行う際にＬＴＥ対応且つＶｏＬＴＥ対応の方式への対応が必要となっても既に第一待受モードに設定されているため遷移遅延は発生せず、より効率的な通信が可能になる。
【００１４】
別の形態に係る移動端末では、当該移動端末が在圏する在圏セルに関するセル情報を取得する取得手段を更に備え、方式特定手段は、取得手段により取得されたセル情報に基づいて、移動端末が在圏する在圏セルの通信方式を特定してもよい。この形態では、在圏する在圏セルに関するセル情報を取得し、取得されたセル情報に基づいて、移動端末が在圏する在圏セルの通信方式を特定することが可能になる。
【００１５】
別の形態に係る移動端末では、当該移動端末が特定の通信方式による通信中であるか否かを判別する方式判別手段を更に備え、判定手段は、方式判別手段により特定の通信方式による通信中であると判別された場合に、方式特定手段により特定された通信方式が第一通信方式であって且つ当該移動端末が当該第一通信方式に対応可能な通信環境であるか否かを判定してもよい。この形態では、移動端末が特定の通信方式による通信中であると判別された場合に、方式特定手段により特定された通信方式が第一通信方式であって且つ移動端末が第一通信方式に対応可能な通信環境であるか否かを判定することが可能になる。
【００１６】
本発明の一形態に係る通信方法は、在圏するセルを変更してハンドオーバすることが可能な移動端末が行う通信方法において、移動端末が在圏する在圏セルの通信方式を当該移動端末が特定する方式特定ステップと、移動端末がＷｉｆｉによるデータ通信中であるか否かを判別する方式判別ステップと、方式判別ステップにおいてＷｉｆｉによるデータ通信中であると判別された場合に、方式特定ステップにより特定された通信方式が音声通信を対象とした第一通信方式であって且つ当該移動端末が当該第一通信方式を利用した音声通信に対応可能な端末種別又は通話品質であるか否かを判定する判定ステップと、判定ステップにより第一通信方式であって且つ端末種別又は通話品質であると判定された場合に、移動端末を第一通信方式に対応する第一待受モードに設定する制御を行う制御ステップと、を有し、制御ステップでは、判定ステップにより第一通信方式であって且つ端末種別又は通話品質であると判定されなかった場合に、移動端末を、第一通信方式とは異なる通信方式であって音声通信を対象とした第二通信方式に対応する第二待受モードに設定し、少なくとも、第二通信方式により、移動端末が音声通信を行うことができる、ことを特徴とする。
【００１７】
本発明の一形態に係る通信方法によれば、当該移動端末が在圏する在圏セルの通信方式を特定し、特定された通信方式が第一通信方式であって且つ当該移動端末が当該第一通信方式に対応可能な通信環境であるか否かを判定する。ここで、上述の通信環境であると判定された場合に、移動端末を第一通信方式に対応する第一待受モードに設定する一方、上述の通信環境であると判定されなかった場合に、移動端末を第二待受モードに設定する。
【００１８】
このように、特定された通信方式が第一通信方式であって且つこれに対応可能な通信環境でない場合に、第二待受モードに設定されるため、例えば３Ｇ／ＬＴＥエリアに存在しても例えばＶｏｌｔｅ等の第一通信方式に非対応のＬＴＥエリアに存在している場合、例えば３Ｇ等の第二通信方式に対応する第二待受モードに予め設定される。この結果、音声発着信を行う際に３Ｇへの対応が必要となっても既に第二待受モードに設定されているため遷移遅延は発生せず、より効率的な通信が可能になる。
【００１９】
更に、特定された通信方式が第一通信方式であって且つこれに対応可能な通信環境である場合に、第一通信方式に対応する第一待受モードに設定されるため、例えばＶｏｌｔｅ対応端末であって３Ｇ／ＬＴＥエリアに存在している場合、例えばＬＴＥ対応且つＶｏＬＴＥ対応の方式等の第一通信方式に対応する第一待受モードに予め設定される。この結果、音声発着信を行う際にＬＴＥ対応且つＶｏＬＴＥ対応の方式への対応が必要となっても既に第一待受モードに設定されているため遷移遅延は発生せず、より効率的な通信が可能になる。
【発明の効果】
【００２０】
本発明によれば、より効率的な通信が可能な移動端末及び通信方法を提供することができる。
【図面の簡単な説明】
【００２１】
【図１】移動局の対応可能な通信方式の違いによる、待ち受け状態の違いを説明する待ち受け状態説明図である。
【図２】Ｖｏｌｔｅ対応移動端末による作用効果の概略を説明する概略説明図である。
【図３】Ｖｏｌｔｅ対応移動端末の主な機能構成の概略を説明するための機能ブロック図である。
【図４】Ｖｏｌｔｅ対応移動端末の主な物理構成の概略を説明するための物理構成図である。
【図５】Ｖｏｌｔｅ対応移動端末における通信方式変更処理の流れを説明するためのフローチャートである。
【発明を実施するための形態】
【００２２】
以下、添付図面を参照しながら本発明の好適な実施形態を説明する。なお、図面の説明において同一要素には同一符号を付し、重複する説明を省略する。
【００２３】
（１）本実施形態に係る移動端末による作用効果の概略
まず、本実施形態に係る移動端末による作用効果の概略について、図２を用いて説明する。図２は、本実施形態に係るＶｏｌｔｅ対応移動端末Ｍｂによる作用効果の概略を説明する概略説明図である。以下では、Ｖｏｌｔｅ対応移動端末Ｍｂは、在圏するセルを変更してハンドオーバすることが可能な、携帯電話端末やスマートフォンといった端末であるとして説明する。Ｖｏｌｔｅ対応移動端末Ｍｂは、ＬＴＥ対応且つＶｏｌｔｅ対応の通信方式（第一通信方式）及び３Ｇ（第二通信方式）に対応しており、ＷｉＦｉ通信、無線ＬＡＮ通信、Ｂｌｕｅｔｏｏｔｈ（登録商標）通信が可能である。以下では、第二通信方式として３Ｇを採用するとして説明するが、３Ｇを採用する代わりに、ＬＴＥ対応且つＶｏｌｔｅ非対応の通信方式を採用してもよい。
【００２４】
図２における右側に示されるように、Ｖｏｌｔｅ対応移動端末Ｍｂは、Ｖｏｌｔｅ非対応の３Ｇエリアに存在している場合、３Ｇ待ち受け状態でＷｉＦｉ通信を行う。このＶｏｌｔｅ対応移動端末Ｍｂが、図２における中央に示されるように、Ｖｏｌｔｅ非対応のＬＴＥエリア内の３Ｇエリアに移動し、在圏するセルを変更するハンドオーバを行った後も、３Ｇ待ち受け状態でＷｉＦｉ通信を行う。ここで、図２における左側に示されるように、このＶｏｌｔｅ対応移動端末Ｍｂが、Ｖｏｌｔｅ対応のＬＴＥエリア内の３Ｇエリアに移動し、在圏するセルを変更するハンドオーバを行った後、Ｖｏｌｔｅ対応エリアでの存在を検出するとともにＶｏｌｔｅ対応端末であることが検出され、ＬＴＥ待ち受け状態でＷｉＦｉ通信を行う。
【００２５】
このように、Ｖｏｌｔｅ対応移動端末Ｍｂが、３Ｇ／ＬＴＥエリアに存在してもＶｏｌｔｅ（Voice-over-LTE：ＬＴＥを用いた音声通話技術）非対応のＬＴＥエリアに存在している場合、３Ｇ待ち受け状態でＷｉＦｉ通信を行う。このため、音声発着信を行う際の３Ｇへの遷移が不要となって遷移遅延が発生しないことから、従来の技術と比べて、より効率的な通信が可能となる。
【００２６】
なお、図２における右側に示されるように、Ｖｏｌｔｅ非対応移動端末Ｍａは、Ｖｏｌｔｅ非対応の３Ｇエリアに存在している場合、３Ｇ待ち受け状態でＷｉＦｉ通信を行う。このＶｏｌｔｅ非対応移動端末Ｍａが、図２における中央に示されるように、Ｖｏｌｔｅ非対応のＬＴＥエリア内の３Ｇエリアに移動し、在圏するセルを変更するハンドオーバを行った後も、３Ｇ待ち受け状態でＷｉＦｉ通信を行う。ここで、図２における左側に示されるように、このＶｏｌｔｅ非対応移動端末Ｍａが、Ｖｏｌｔｅ対応のＬＴＥエリア内の３Ｇエリアに移動し、在圏するセルを変更するハンドオーバを行った後も、３Ｇ待ち受け状態でＷｉＦｉ通信を行う。
【００２７】
（２）Ｖｏｌｔｅ対応移動端末の構成
引き続き、Ｖｏｌｔｅ対応移動端末Ｍｂの構成について、図３及び図４を用いて説明する。図３は、Ｖｏｌｔｅ対応移動端末Ｍｂの主な機能構成の概略を説明するための機能ブロック図であり、図４は、Ｖｏｌｔｅ対応移動端末Ｍｂの主な物理構成の概略を説明するための物理構成図である。
【００２８】
Ｖｏｌｔｅ対応移動端末Ｍｂは、図４に示されるように、主な物理的な構成要素としてＣＰＵ１０１（Central Processing Unit）、ＲＡＭ１０２（Random Access Memory）、ＲＯＭ１０３（Read Only Memory）、操作部１０４、無線通信部１０５、ディスプレイ１０６、及びアンテナ１０７等のハードウェアにより構成されている携帯可能なコンピュータ端末である。これらの構成要素が動作することにより、Ｖｏｌｔｅ対応移動端末Ｍｂが有する各機能が発揮される。
【００２９】
Ｖｏｌｔｅ対応移動端末Ｍｂは、図３に示されるように、主な機能的な構成要素として、情報受信部１（取得手段）、Ｖｏｌｔｅ対応判定部２（方式特定手段）、ＷｉＦｉ状態判定部３（方式判別手段）、待受ＲＡＴ決定部４（判定手段）、及び待受ＲＡＴ更新部５（制御手段）を備えて構成されている。
【００３０】
ＷｉＦｉ状態判定部３は、Ｖｏｌｔｅ対応移動端末Ｍｂが外部とＷｉＦｉ通信（特定の通信方式による通信）中であるか否かを判別する判別処理部分である。以下では、ＷｉＦｉ状態判定部３は、Ｖｏｌｔｅ対応移動端末Ｍｂが外部とＷｉＦｉ通信中であるか否かを判別するものとして説明するが、ＷｉＦｉ通信中であるか否かを判別する代わりに、無線ＬＡＮ通信中であるか否かを判別してもよく、また、Ｂｌｕｅｔｏｏｔｈ（登録商標）通信中であるか否かを判別してもよい。
【００３１】
情報受信部１は、Ｖｏｌｔｅ対応移動端末Ｍｂの通信対象である基地局及び無線制御局からの各種信号の受信が可能な通信機能部分である。例えば、情報受信部１は、この基地局及び無線制御局から、Ｖｏｌｔｅ対応移動端末Ｍｂが在圏する在圏セルに関するセル情報を取得する。取得されたセル情報は符号化されているため、情報受信部１が復号する。このセル情報は、Ｖｏｌｔｅ対応移動端末Ｍｂの在圏セルがＶｏｌｔｅに対応しているか否か、及び３Ｇに対応しているか否かを示す。
【００３２】
Ｖｏｌｔｅ対応判定部２は、情報受信部１により取得されたセル情報に基づいて、Ｖｏｌｔｅ対応移動端末Ｍｂが在圏する在圏セルの通信方式を特定する検出処理部分である。Ｖｏｌｔｅ対応判定部２は、在圏セルの通信方式がＬＴＥ対応且つＶｏｌｔｅ対応の通信方式（第一通信方式）であるか否かを判定することによって通信方式を特定する。
【００３３】
待受ＲＡＴ決定部４は、Ｖｏｌｔｅ対応判定部２により特定された通信方式がＬＴＥ対応且つＶｏｌｔｅ対応の通信方式であって且つＶｏｌｔｅ対応移動端末ＭｂがこのＶｏｌｔｅに対応可能な通信環境であるか否かを判定する判定処理部分である。待受ＲＡＴ決定部４は、ＷｉＦｉ状態判定部３により外部とＷｉＦｉ通信中であると判別された場合に、上述の通信環境であるか否かを判定する。
【００３４】
待受ＲＡＴ更新部５は、待受ＲＡＴ決定部４により上述の通信環境であると判定された場合に、Ｖｏｌｔｅ対応移動端末ＭｂをＬＴＥ対応且つＶｏｌｔｅ対応の通信方式に対応するＬＴＥ待ち受けモード（第一待受モード）に設定する制御を行う制御部分である。なお、待受ＲＡＴ更新部５は、ＬＴＥ待ち受けモードに設定する制御を行う際、３Ｇ待ち受けモード（第二待受モード）をｄｅａｃｔｉｖａｔｅ（無効化）してもよいし、あるいは、第一待受モードでの接続の失敗時に３Ｇ待ち受けモード（第二待受モード）を指定できるように設定してもよい。
【００３５】
また、待受ＲＡＴ更新部５は、待受ＲＡＴ決定部４により上述の通信環境であると判定されなかった場合に、Ｖｏｌｔｅ対応移動端末Ｍｂを３Ｇ（第二通信方式）に対応する３Ｇ待ち受けモードに設定する制御を行う。なお、待受ＲＡＴ更新部５は、３Ｇ待ち受けモードに設定する制御を行う際、ＬＴＥ待ち受けモードをｄｅａｃｔｉｖａｔｅ（無効化）してもよいし、あるいは、第二待受モードでの接続の失敗時にＬＴＥ待ち受けモード（第一待受モード）を指定できるように設定してもよい。
【００３６】
更に、待受ＲＡＴ更新部５は、ＷｉＦｉ状態判定部３により外部とＷｉＦｉ通信中でないと判定された場合に、待ち受けＲＡＴ（待ち受けモードにおいて採用される通信方式）を従来の手法に基づいて決定し、Ｖｏｌｔｅ対応判定部２を、この決定されたＲＡＴに設定する。
【００３７】
（３）移動端末における通信方式変更処理の流れ
引き続き、Ｖｏｌｔｅ対応移動端末Ｍｂにおける通信方式変更処理の流れ（通信方法）について、図５を用いて説明する。図５は、Ｖｏｌｔｅ対応移動端末Ｍｂにおける通信方式変更処理の流れを説明するためのフローチャートである。図５のフローチャートに示される処理は、Ｖｏｌｔｅ対応移動端末Ｍｂの電源がオンされてからオフされるまでの間、所定のタイミングで繰り返し実行される。
【００３８】
まず、ＷｉＦｉ状態判定部３が、Ｖｏｌｔｅ対応移動端末Ｍｂが外部とＷｉＦｉ通信中であるか否かを判別する（ステップＳ０１）。Ｖｏｌｔｅ対応移動端末Ｍｂが外部とＷｉＦｉ通信中でないと判別された場合、待受ＲＡＴ更新部５が、待ち受けＲＡＴ（待ち受けモードにおいて採用される通信方式）を従来の手法に基づいて決定し、Ｖｏｌｔｅ対応移動端末Ｍｂを、この決定されたＲＡＴに設定する（ステップＳ０２）。そして、一連の処理が終了する。
【００３９】
一方、Ｖｏｌｔｅ対応移動端末Ｍｂが外部とＷｉＦｉ通信中であると判別された場合、情報受信部１が、Ｖｏｌｔｅ対応移動端末Ｍｂの通信対象である基地局及び無線制御局から、セル情報（セルＶｏｌｔｅ対応情報）を受信して復号する（ステップＳ０３、方式特定ステップ）。そして、Ｖｏｌｔｅ対応判定部２が、情報受信部１により取得されたセル情報に基づいて、Ｖｏｌｔｅ対応移動端末Ｍｂが在圏する在圏セルの通信方式を特定し、待受ＲＡＴ決定部４が、Ｖｏｌｔｅ対応判定部２により特定された通信方式がＶｏｌｔｅであって且つＶｏｌｔｅ対応移動端末ＭｂがこのＶｏｌｔｅに対応可能な通信環境であるか否かを示す判定結果情報を生成する（ステップＳ０４、方式特定ステップ）。
【００４０】
ここで、待受ＲＡＴ決定部４が、生成された判定結果情報に基づいて、特定された通信方式がＬＴＥ対応且つＶｏｌｔｅ対応の通信方式であって且つＶｏｌｔｅ対応移動端末ＭｂがこのＶｏｌｔｅに対応可能な通信環境であるか否かを判定する（ステップＳ０５、判定ステップ）。特定された通信方式がＬＴＥ対応且つＶｏｌｔｅ対応の通信方式であって且つＶｏｌｔｅ対応移動端末ＭｂがこのＶｏｌｔｅに対応可能な通信環境であると判定された場合、待受ＲＡＴ更新部５が、Ｖｏｌｔｅ対応移動端末ＭｂをＬＴＥ対応且つＶｏｌｔｅ対応の通信方式に対応するＬＴＥ待ち受けモード（ＬＴＥ待ち受けＲＡＴ）に設定する制御を行う（ステップＳ０６、制御ステップ）。なお、待受ＲＡＴ更新部５は、ＬＴＥ待ち受けモードに設定する制御を行う際、３Ｇ待ち受けモードをｄｅａｃｔｉｖａｔｅ（無効化）してもよいし、あるいは、第一待受モードでの接続の失敗時に３Ｇ待ち受けモード（第二待受モード）を指定できるように設定してもよい。そして、一連の処理が終了する。
【００４１】
一方、特定された通信方式がＬＴＥ対応且つＶｏｌｔｅ対応の通信方式であって且つＶｏｌｔｅ対応移動端末ＭｂがこのＶｏｌｔｅに対応可能な通信環境であると判定されなかった場合、待受ＲＡＴ更新部５が、Ｖｏｌｔｅ対応移動端末Ｍｂを３Ｇに対応する３Ｇ待ち受けモード（３Ｇ待ち受けＲＡＴ）に設定する制御を行う（ステップＳ０７、制御ステップ）。なお、待受ＲＡＴ更新部５は、３Ｇ待ち受けモードに設定する制御を行う際、ＬＴＥ待ち受けモードをｄｅａｃｔｉｖａｔｅ（無効化）してもよいし、あるいは、第二待受モードでの接続の失敗時にＬＴＥ待ち受けモード（第一待受モード）を指定できるように設定してもよい。そして、一連の処理が終了する。
【００４２】
（４）本発明による作用及び効果
Ｖｏｌｔｅ対応移動端末Ｍｂによれば、特定された通信方式がＬＴＥ対応且つＶｏｌｔｅ対応の通信方式であって且つこれに対応可能な通信環境でない場合に、３Ｇ待受モードに設定される。このため、例えば３Ｇ／ＬＴＥエリアに存在しても例えばＶｏｌｔｅに非対応のＬＴＥエリアに存在している場合、３Ｇ待受モードに予め設定される。この結果、音声発着信を行う際に３Ｇへの対応が必要となっても既に３Ｇ待受モードに設定されているため遷移遅延は発生せず、通信品質が向上した、より効率的な高速通信が可能になる。
【００４３】
また、特定された通信方式がＶｏｌｔｅであって且つこれに対応可能な通信環境である場合に、Ｖｏｌｔｅ待受モードに設定される。このため、例えばＶｏｌｔｅ対応端末であって３Ｇ／ＬＴＥエリアに存在している場合、例えばＬＴＥ対応且つＶｏＬＴＥ対応の通信方式に対応する待受モードに予め設定される。この結果、音声発着信を行う際にＬＴＥ対応且つＶｏＬＴＥ対応の方式への対応が必要となっても既にＬＴＥ対応且つＶｏＬＴＥ対応の通信方式に対応する待受モードに設定されているため遷移遅延は発生せず、より効率的な通信が可能になる。
【００４４】
更に、Ｖｏｌｔｅ対応移動端末Ｍｂによれば、在圏する在圏セルに関するセル情報を取得し、取得されたセル情報に基づいて、Ｖｏｌｔｅ対応移動端末Ｍｂが在圏する在圏セルの通信方式を特定することが可能になる。また、Ｖｏｌｔｅ対応移動端末Ｍｂによれば、ＷｉＦｉ通信中であると判別された場合に、上述の通信環境であるか否かを判定することが可能になる。
【００４５】
（５）変形例
上述の実施例では、Ｖｏｌｔｅ及び３Ｇの組み合わせを用いる構成について説明したが、ＲＡＴ（通信方式）はこれに限定されず、他の組み合わせを用いる構成としてもよい。
【産業上の利用可能性】
【００４６】
本発明によれば、より効率的な通信が可能な移動端末及び通信方法を提供することができる。
【符号の説明】
【００４７】
１…情報受信部、２…Ｖｏｌｔｅ対応判定部、３…ＷｉＦｉ状態判定部、４…待受ＲＡＴ決定部、５…待受ＲＡＴ更新部、１０１…ＣＰＵ、１０２…ＲＡＭ、１０３…ＲＯＭ、１０４…操作部、１０５…無線通信部、１０６…ディスプレイ、１０７…アンテナ、Ｌａ…ＬＴＥ非対応端末、Ｌｂ…ＬＴＥ対応端末、Ｌｃ…パケット専用以外端末、Ｌｄ…パケット通信専用端末、Ｍａ…Ｖｏｌｔｅ非対応移動端末、Ｍｂ…Ｖｏｌｔｅ対応移動端末、Ｔａ…遷移遅延、Ｔｂ…遷移遅延。
【図１】
0006034587.tif 000002
【図２】
0006034587.tif 000003
【図３】
0006034587.tif 000004
【図４】
0006034587.tif 000005
【図５】
0006034587.tif 000006